(57)【要約】      （修正有）【課題】一つの地ベラで通常の内装施工も、細かい施工箇所の施工でも両方の使用が可能な地ベラを提供する。【解決手段】薄板から構成されたブレード部１１と、ブレード部を保持する握り柄部２１とを備えた地ベラであって、ブレード部が磁気吸着可能な金属薄板からなり、握り柄部のブレード部への当接側に配設された磁石を備えている。特に、ブレード部が幅広の直線状の大エッジ部と大エッジ部より狭い直線状の小エッジ部とを備えた薄板から構成され、握り柄部の磁石の近傍に配設されたブレード部の厚さよりも低い高さの突起部２６と、ブレード部に形成されて突起部を遊嵌する１つ以上の遊嵌孔１６とを備えている。【選択図】図１
0003203578.tif 000002
【実用新案登録請求の範囲】
【請求項１】
薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備えたことを特徴とする地ベラ。
【請求項２】
幅広の直線状の大エッジ部と該大エッジ部より狭い直線状の小エッジ部とを備えた薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備え、
前記握り柄部の磁石の近傍に配設された前記ブレード部の厚さよりも低い高さの突起部と、
前記ブレード部に形成され、前記突起部を遊嵌する１つ以上の遊嵌孔とを備えたことを特徴とする地ベラ。
【請求項３】
幅広の直線状の大エッジ部と該大エッジ部より狭い直線状の小エッジ部とを備えた薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備え、
前記握り柄部の磁石の近傍に配設された前記ブレード部の厚さよりも低い高さの突起部と、
前記ブレード部に形成され、前記突起部を遊嵌する１つ以上の遊嵌孔とを備え、
前記磁石が、前記突起部の周囲を囲むように配設されていることを特徴とする地ベラ。
【請求項４】
幅広の直線状の大エッジ部と該大エッジ部より狭い直線状の小エッジ部とを備えた薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備え、
前記握り柄部の磁石の近傍に配設された前記ブレード部の厚さよりも低い高さの突起部と、
前記ブレード部に形成され、前記突起部を遊嵌する１つ以上の遊嵌孔とを備え、
前記磁石が、前記突起部の周囲を囲むように配設され、
前記磁石が、希土類磁石であることを特徴とする地ベラ。
【考案の詳細な説明】
【技術分野】
【０００１】
本考案は例えば建築物の内装施工に用いられる地ベラに関するものである。
【背景技術】
【０００２】
従来、地ベラは建築部の内装施工等に用いられている（例えば、特許文献１等参照）。例えば、地ベラの構成としては、ブレード部と握り柄部とからなり、多くのものは握り柄部の先端部を広くし、その先端部に長細溝を広くした長手方向に沿って形成し、形成された長細溝にブレード部の後端辺を挿入して目釘やネジ等の締結具にてブレード部を握り柄部に固定して使用していた。
【０００３】
より具体的には、内装施工に用いる多くの地ベラは壁紙クロスを内壁に貼着する際に、壁紙クロスを壁面と天井面との入隅部等で奇麗に折り返して切りしろとするように、ブレード部の直線状のエッジ部を入隅部等にあてたり、エッジ部で壁紙クロスを押さえたり、エッジ部をカッター等の切断具のガイドとしたりする。そのため、多くの場合には、地ベラのブレード幅は広いものが好まれている。
【先行技術文献】
【特許文献】
【０００４】
【特許文献１】実用新案登録第３１２２２３４号公報
【考案の概要】
【考案が解決しようとする課題】
【０００５】
しかしながら、内装施工には通常の幅の壁紙クロスを内装壁に上下に亘って貼付する施工だけではなく、例えば、階段廻りの施工等では、より細かい施工箇所に壁紙クロスを細かく切断して貼付する施工も行われる。即ち、階段廻りの施工では、階段のパーツ毎に壁紙クロスを貼着しなければならない等の細かい施工が必要となる。
【０００６】
このような細かい施工では幅広の地ベラでは使い勝手が悪く、より幅の小さい地ベラを用いることもあったり、或いは幅の小さいパテベラやスクレーパ等で代用することもあった。そのため、通常のクロス貼りに使用する地ベラの他に小さな幅の地ベラ等を用意する作業者もいた。２つの相違する大きさの地ベラを作業現場に持ち込むことは手間であり、更には、紛失の虞もあった。
【０００７】
本考案は、一つの地ベラで通常の内装施工も、細かい施工箇所の施工でも両方の使用が可能な地ベラを得ることを目的とする。
【課題を解決するための手段】
【０００８】
請求項１に記載された考案に係る地ベラは、薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備えたことを特徴とするものである。
【０００９】
請求項２に記載された考案に係る地ベラは、幅広の直線状の大エッジ部と該大エッジ部より狭い直線状の小エッジ部とを備えた薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備え、
前記握り柄部の磁石の近傍に配設された前記ブレード部の厚さよりも低い高さの突起部と、
前記ブレード部に形成され、前記突起部を遊嵌する１つ以上の遊嵌孔とを備えたことを特徴とするものである。
【００１０】
請求項３に記載された考案に係る地ベラは、幅広の直線状の大エッジ部と該大エッジ部より狭い直線状の小エッジ部とを備えた薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備え、
前記握り柄部の磁石の近傍に配設された前記ブレード部の厚さよりも低い高さの突起部と、
前記ブレード部に形成され、前記突起部を遊嵌する１つ以上の遊嵌孔とを備え、
前記磁石が、前記突起部の周囲を囲むように配設されていることを特徴とするものである。
【００１１】
請求項４に記載された考案に係る地ベラは、幅広の直線状の大エッジ部と該大エッジ部より狭い直線状の小エッジ部とを備えた薄板から構成されたブレード部と、このブレード部を保持する握り柄部とを備えた地ベラであって、
前記ブレード部が磁気吸着可能な金属薄板からなり、
前記握り柄部の前記ブレード部への当接側に配設された磁石を備え、
前記握り柄部の磁石の近傍に配設された前記ブレード部の厚さよりも低い高さの突起部と、
前記ブレード部に形成され、前記突起部を遊嵌する１つ以上の遊嵌孔とを備え、
前記磁石が、前記突起部の周囲を囲むように配設され、
前記磁石が、希土類磁石であることを特徴とするものである。
【考案の効果】
【００１２】
本考案は、通常の内装施工も、細かい施工箇所の施工でも両方の使用が可能な地ベラを得ることができ、本考案の地ベラの一つで良好な作業をすることができるという効果がある。
【図面の簡単な説明】
【００１３】
【図１】本考案の地ベラの一実施例の構成を示す説明図であり、ａ図は平面図、ｂ図は側面図である。
【図２】図１に示した地ベラの別の形態を示す説明図であり、ａ図は平面図、ｂ図は側面図である。
【図３】図１に示した地ベラの握り柄部の構成を示す説明図であり、ａ図は平面図、ｂ図は底面図、ｃ図は側面図、ｄ図は正面図である。
【図４】図２に示した地ベラの一部が拡大されたＡ−Ａ断面図である。
【考案を実施するための形態】
【００１４】
本考案においては、薄板から構成されたブレード部と、このブレード部を保持する握り柄部とを備えた地ベラであって、前記ブレード部が磁気吸着可能な金属薄板からなり、前記握り柄部の前記ブレード部への当接側に配設された磁石を備えるため、通常の内装施工も細かい施工箇所でも施工することの両方の使用が可能な地ベラを得ることができ、本考案の地ベラの一つで良好な作業をすることができる。
【００１５】
即ち、本考案の地ベラは、握り柄部に磁石を配してこの磁石によってブレード部を磁気吸着して固定することにより、握り柄部に対してブレード部が移動可能に固定される。このため、地ベラの握り柄部とブレード部との固定位置を変更することができ、握り柄部に対向する側に配して使用する直線状のエッジ部や角部を状況に応じて選択することができる。これにより、階段部分等の細かな箇所の作業においても、大型の地ベラと小型の地ベラとの２枚を持たずとも、本考案の地ベラで良好な作業をすることができる。
【００１６】
本考案の地ベラでのブレード部としては、磁気吸着可能な金属薄板からなるものであればよい。例えば、ブレード板の全てを同一の金属薄板としてもよいし、ブレード板の一部のみが磁気吸着可能な金属薄板としてもよい。より好適な例としては、０．６〜１．６ｍｍのステンレス板が挙げられる。
【００１７】
本考案のブレード部の平面形状としては、壁紙クロスを内壁に貼着する際に、壁紙クロスを壁面と天井面との入隅部等で奇麗に折り返して切りしろとする直線状のエッジ部を備える。本考案の場合には、幅広の直線状の大エッジ部と、幅の狭い箇所で用いることが可能な大エッジ部と比較して幅の狭い直線状の小エッジ部とを少なくとも備える。後述する実施例ではブレード部として四角形状のものを開示しているが、多角形状、一部に曲線が施されたもの等がある。
【００１８】
尚、ブレード部を構成する直線状の２つ以上の相違する長さのエッジ部を利用するようにしてもよい。また、本考案のブレード部として相違する形状のブレード部を予め複数個用意しておき、施工現場の状況に応じて合致するブレード部を装着して施工作業を行ってもよい。
【００１９】
本考案の握り柄部には、ブレード部への当接側に磁石を配設する。これにより、ブレード部の予め定められた位置でブレード部を磁気吸着して固定することができる。従って、施工対象が通常の幅の壁紙クロスでも、通常よりも幅の狭い施工対象で用いる小さく切断した壁紙クロスでも用いることができる。尚、握り柄部の素材は、磁石以外は磁気吸着されない素材で構成される。例えば、木製、プラスチック製、セラミックス製等のものを用いることができる。
【００２０】
本考案の磁石としては、内装施工時にブレード部が外れたり、ずれたりすることがなく、しっかりと磁気吸着する磁力を有するものであればよく、電磁石や永久磁石を用いることができるが、電力を必要としない永久磁石が好適である。また、弱い磁力の磁石では内装施工中にブレード部が握り柄部から外れたり、ずれたりする可能性があるため、好ましくない。逆に、あまりにも強力な磁力を有する磁石では、握り柄部とブレード部との固定位置を変更する際に、取り外したり、ずらしたりすることが困難となる。このため、本考案の磁石としては、強力なフェライト磁石や、サマリウムコバルト磁石、ネオジム磁石、プラセオジム磁石等の希土類磁石等が好ましい。
【００２１】
本考案の磁石は、強力な磁力を有する磁石であるため、しっかりと握り柄部に取付ける必要がある。そのため、握り柄部の反ブレード部側から装入凹部を形成して、その装入凹部内に磁石を入れて装入凹部の開口部を閉鎖したり、握り柄部のブレード部側に装入孔を形成し、握り柄部のブレード部側を頑強な板で覆うように形成したりしてもよい。好ましくは、取付けられる磁石はドーナッツ状の磁石を用い、ドーナッツ状の磁石の中心の孔をボルトで貫通させて握り柄部にナットで固定するようにすると簡便な構成で確実に固定することができる。
【００２２】
また、本考案の地ベラについては、磁気吸着による固定手段だけでなく、磁気固定を補助する機構を別途備えてもよい。例えば、ブレード部を貫通する孔を穿設させ、この孔に遊嵌する突起部を握り柄部に設けることにより、ブレード部の厚みに直交する方向の力に対して、突起部と孔とが噛み合うためにブレード部の平面方向の移動が制限されるので、、磁気固定を補助することができる。
【００２３】
突起部としては、握り柄部の磁石の近傍に配設され、突起部の握り柄部の表面からの突出高さは、ブレード部の厚さよりも低い高さとすることにより、突起部がブレード面から突出することがなく、ブレード部を壁紙に押し当てた場合にブレードが浮いて不安定になることがない。また、ブレード部と握り柄部とを磁石による磁気固定だけでなく、ブレード部と握り柄部との固定を補助することができる。更に、突起部を中心にして握り柄部を回動して固定することができる。このため、施工箇所の状況に応じてブレード部と握り柄部との取付け角度を変更することができる。
【００２４】
尚、ブレード部の孔、即ち、突起部を遊嵌する遊嵌孔は、ブレード部に１つ以上配設させることにより、施工箇所の状況に応じてブレード部と握り柄部との取付け位置も変更することができる。
【実施例】
【００２５】
図１は本考案の地ベラの一実施例の構成を示す説明図であり、ａ図は平面図、ｂ図は側面図である。図２は図１に示した地ベラの別の形態を示す説明図であり、ａ図は平面図、ｂ図は側面図である。図３は図１に示した地ベラの握り柄部の構成を示す説明図であり、ａ図は平面図、ｂ図は底面図、ｃ図は側面図、ｄ図は正面図である。図４は図２に示した地ベラの一部が拡大されたＡ−Ａ断面図である。
【００２６】
図１及び図２に示す通り、本実施例の地ベラ１０は、薄板から構成されたブレード部１１と、このブレード部１１を保持するように連設される握り柄部２１とを備える。ブレード部１１は厚さが０．６ｍｍのステンレス板である。ブレード部１１は概略台形の平面形状を有し、最も長さの大きな第１辺１２と、この辺１２の一端部に略直角に立ち上がった立ち上がり第２辺１３と、他端部に斜めに立ち上がった第３辺１４と、最も長さの大きな第１辺１２に対向する第４辺１５とを備えている。第４辺１５の近傍には、２つの遊嵌孔１６が形成されている。
【００２７】
図１に示した遊嵌孔１６に握り柄部２１が固定された場合においては、握り柄部２１が実線部の状態では、第１辺１２を大エッジ部として用いることができる。また、握り柄部２１の角度を変更させることにより、第２辺１３又は第３辺１４を小エッジ部として用いることができる。図２に示した遊嵌孔１６に握り柄部２１が固定された場合においては、握り柄部２１が実線部の状態では、第３辺１４を大エッジ部として用いることができ、握り柄部２１の角度を変更させることにより、第４辺１５を小エッジ部として用いることができる。
【００２８】
図３及び図４に示す通り、本実施例の握り柄部２１は、カプセル状の平面外形を有し、その一端部の底面にドーナッツ状のネオジム磁石２２が嵌合凹部２３に嵌合されている。磁石２２のドーナッツ孔と握り柄部２１の嵌合凹部２３の中心部を底面から上面に掛けて穿設された穿設孔２４とを貫通するボルト２５の先端部を、ナット２７で締めて固定されている。尚、ボルト２５の頭部２６の頂部は突起部としてブレード部１１の遊嵌孔１６に遊嵌される大きさであり、握り柄部２１の底面から突出する高さをブレード部１１の厚さである０．６ｍｍよりも低く設定されている。
【００２９】
これにより、ブレード部１１と握り柄部２１とを磁石２２による磁気固定だけでなく、ブレード部１１と握り柄部２１との固定を補助することができる。即ち、ボルト２５の頭部２６の頂部を突起部として、ブレード部１１の遊嵌孔１６に遊嵌されるため、ブレード部１１の厚みに直交する方向の力に対して、突起部と遊嵌孔１６とが噛み合うため、磁石２２の磁気固定を補助する。
【００３０】
また、図１及び図２の一点鎖線で示す通り、握り柄部２１は遊嵌孔１６に噛み合う突起部を中心として、回動することが可能となる。これにより、施工する状況に応じてブレード部１１に対する握り柄部２１の取付け角度を調整することも可能である。
【００３１】
更に、ブレード部１１の遊嵌孔１６は２つ存在しているため、施工する状況に応じて握り柄部２１を何れか一方の遊嵌孔１６に取付けることも可能である。尚、本実施例の遊嵌孔１６は第４辺１５の近傍に２つ設けているが、２つ以上、更には、他の辺の近傍にも設けてもよい。これにより、施工する状況に応じた最適な地ベラとする自由度が増す。
【産業上の利用可能性】
【００３２】
本考案の地ベラは、施工箇所の状況に応じてブレード部と握り柄部との取付け角度や取付け位置等を変更することができ、通常の内装施工も細かい施工箇所でも施工することができる。
【符号の説明】
【００３３】
１０…地ベラ、
１１…ブレード部、
１２…第１辺、
１３…第２辺、
１４…第３辺、
１５…第４辺、
１６…遊嵌孔、
２１…握り柄部、
２２…磁石、
２３…嵌合凹部、
２４…穿設孔、
２５…ボルト、
２６…頭部、
２７…ナット、
【図１】
0003203578.tif 000003
【図２】
0003203578.tif 000004
【図３】
0003203578.tif 000005
【図４】
0003203578.tif 000006